(57)【要約】【課題】重心位置を従来より前端寄り位置又は後端寄り位置に大きくずらして偏在させることが可能なダーツバレル及びダーツを提供する。【解決手段】本発明のダーツバレル３０は、相互に異なる材料で構成された１対のバレル構成体３１，４１を、ダーツ１０の前後方向に並べて結合してなり、前側のバレル構成体３１の質量及び比重が、後側のバレル構成体４１の質量及び比重より大きくなっている。これにより、前側と後側のバレル構成体３１，４１の質量差を大きくすることができ、重心位置を従来より前端寄り位置に大きくずらして偏在させることが可能になる。【選択図】図４
2010004901.tif 000002
【特許請求の範囲】
【請求項１】
ダーツの前側部分を構成するチップと、前記ダーツの後側部分を構成する羽根付きのダーツシャフトとの間に配置されて、前記ダーツの中間部分を構成するダーツバレルであって、
相互に異なる材料で構成された１対のバレル構成体を、前記ダーツの前後方向に並べて結合してなり、前側の前記バレル構成体の質量及び比重が、後側の前記バレル構成体の質量及び比重より大きいことを特徴とするダーツバレル。
【請求項２】
ダーツの前側部分を構成するチップと、前記ダーツの後側部分を構成する羽根付きのダーツシャフトとの間に配置されて、前記ダーツの中間部分を構成するダーツバレルであって、
相互に異なる材料で構成された１対のバレル構成体を、前記ダーツの前後方向に並べて結合してなり、後側の前記バレル構成体の質量及び比重が、前側の前記バレル構成体の質量及び比重より大きいことを特徴とするダーツバレル。
【請求項３】
比重が大きい前記バレル構成体は、タングステンを主成分とした材料で構成される一方、比重が小さい前記バレル構成体は、チタンを主成分とした材料で構成されたことを特徴とする請求項１又は２に記載のダーツバレル。
【請求項４】
相互に質量が異なる複数の前側の前記バレル構成体と、相互に質量が異なる複数の後側の前記バレル構成体とを備え、前側と後側の前記バレル構成体を任意に組み合わせて結合可能としたことを特徴とする請求項１乃至３の何れかに記載のダーツバレル。
【請求項５】
相互に表面形状が異なる複数の前側の前記バレル構成体と、相互に表面形状が異なる複数の後側の前記バレル構成体とを備え、前側と後側の前記バレル構成体を任意に組み合わせて結合可能としたことを特徴とする請求項１乃至４の何れかに記載のダーツバレル。
【請求項６】
互いに結合された前記１対のバレル構成体のうち一方の前記バレル構成体の端部には、嵌合突部が形成され、他方の前記バレル構成体の端部には、前記嵌合突部が圧入された嵌合凹部が形成されたことを特徴とする請求項１乃至５の何れかに記載のダーツバレル。
【請求項７】
互いに結合された前記１対のバレル構成体のうち一方の前記バレル構成体の端部には、雄螺子突部が形成され、他方の前記バレル構成体の端部には、前記雄螺子突部が螺合した雌螺子孔が形成されたことを特徴とする請求項１乃至５の何れかに記載のダーツバレル。
【請求項８】
前側の前記バレル構成体の後端部には、嵌合突部が形成され、
後側の前記バレル構成体は、両端開放の筒状をなしかつ、前端部内側が前記嵌合突部が圧入される圧入孔をなす一方、後端部内側が前記ダーツシャフトが螺合結合される雌螺子孔をなしていることを特徴とする請求項１に記載のダーツバレル。
【請求項９】
前記１対のバレル構成体の表面は、同一金属でめっきされていることを特徴とする請求項１乃至８の何れかに記載のダーツバレル。
【請求項１０】
上記請求項１乃至９の何れかに記載のダーツバレルにより前後方向の中間部分が構成されたことを特徴とするダーツ。
【発明の詳細な説明】
【技術分野】
【０００１】
本発明は、チップと、ダーツバレルと、羽根付きのダーツシャフトとで構成されたダーツ及びそのようなダーツのダーツバレルとに関する。
【背景技術】
【０００２】
一般に、ダーツの軸方向における重心位置は、ダーツを選ぶ際の重要項目である。また、ダーツの全質量の多くはダーツバレルによって占められるため、ダーツバレル単体の重心位置もダーツを選ぶ際の重要項目になっている。ところが、ダーツバレルの最適な重心位置はダーツの投げ方及び好みによって異なり、重心が前寄り位置に偏在したダーツバレルを好む人もいれば、重心が後寄り位置に偏在したダーツバレルを好む人もいる。これに対し、従来のダーツバレルとして、筒状のバレル本体内の前寄り位置に円柱状の錘を装着して重心を前寄りに配置したダーツバレルと、その錘を筒状のバレル本体内の後寄り位置に装着して重心を後寄りに配置したダーツバレルとが知られている（例えば、特許文献１参照）。
【特許文献１】特開２００７−２０２８９３号（［００２５］，［００２８］、第３〜５図）
【発明の開示】
【発明が解決しようとする課題】
【０００３】
しかしながら、上記した従来のダーツバレルにおいては、筒状のバレル本体の重心は前後方向の略中央に位置している。また、錘をバレル本体内の端部に偏在させるために錘の軸長を短くすると、それに伴ってダーツバレル全体の質量が減少するので、錘の軸長の短さには限界がある。これらのため、バレル本体と錘とを合わせたダーツバレル全体の重心位置を、前寄り位置又は後寄り位置に大きくずらして偏在させることは困難であった。
【０００４】
本発明は、上記事情に鑑みてなされたもので、重心位置を従来より前端寄り位置又は後端寄り位置に大きくずらして偏在させることが可能なダーツバレル及びダーツの提供を目的とする。
【課題を解決するための手段】
【０００５】
上記目的を達成するためになされた請求項１の発明に係るダーツバレルは、ダーツの前側部分を構成するチップと、ダーツの後側部分を構成して羽根付きのダーツシャフトとの間に配置されて、ダーツの中間部分を構成するダーツバレルであって、相互に異なる材料で構成された１対のバレル構成体を、ダーツの前後方向に並べて結合してなり、前側のバレル構成体の質量及び比重が、後側のバレル構成体の質量及び比重より大きいところに特徴を有する。
【０００６】
請求項２の発明に係るダーツバレルは、ダーツの前側部分を構成するチップと、ダーツの後側部分を構成する羽根付きのダーツシャフトとの間に配置されて、ダーツの中間部分を構成するダーツバレルであって、相互に異なる材料で構成された１対のバレル構成体を、ダーツの前後方向に並べて結合してなり、後側のバレル構成体の質量及び比重が、前側のバレル構成体の質量及び比重より大きいところに特徴を有する。
【０００７】
請求項３の発明は、請求項１又は２に記載のダーツバレルにおいて、比重が大きいバレル構成体は、タングステンを主成分とした材料で構成される一方、比重が小さいバレル構成体は、チタンを主成分とした材料で構成されたところに特徴を有する。
【０００８】
請求項４の発明は、請求項１乃至３の何れかに記載のダーツバレルにおいて、相互に質量が異なる複数の前側のバレル構成体と、相互に質量が異なる複数の後側のバレル構成体とを備え、前側と後側のバレル構成体を任意に組み合わせて結合可能としたところに特徴を有する。
【０００９】
請求項５の発明は、請求項１乃至４の何れかに記載のダーツバレルにおいて、相互に表面形状が異なる複数の前側のバレル構成体と、相互に表面形状が異なる複数の後側のバレル構成体とを備え、前側と後側のバレル構成体を任意に組み合わせて結合可能としたところに特徴を有する。
【００１０】
請求項６の発明は、請求項１乃至５の何れかに記載のダーツバレルにおいて、互いに結合された１対のバレル構成体のうち一方のバレル構成体の端部には、嵌合突部が形成され、他方のバレル構成体の端部には、嵌合突部が圧入された嵌合凹部が形成されたところに特徴を有する。
【００１１】
請求項７の発明は、請求項１乃至５の何れかに記載のダーツバレルにおいて、互いに結合された１対のバレル構成体のうち一方のバレル構成体の端部には、雄螺子突部が形成され、他方のバレル構成体の端部には、雄螺子突部が螺合した雌螺子孔が形成されたところに特徴を有する。
【００１２】
請求項８の発明は、請求項１に記載のダーツバレルにおいて、前側のバレル構成体の後端部には、嵌合突部が形成され、後側のバレル構成体は、両端開放の筒状をなしかつ、前端部内側が嵌合突部が圧入される圧入孔をなす一方、後端部内側がダーツシャフトが螺合結合される雌螺子孔をなしているところに特徴を有する。
【００１３】
請求項９の発明は、請求項１乃至８の何れかに記載のダーツバレルにおいて、１対のバレル構成体の表面は、同一金属でめっきされているところに特徴を有する。
【００１４】
請求項１０の発明に係るダーツは、上記請求項１乃至９の何れかに記載のダーツバレルにより前後方向の中間部分が構成されたところに特徴を有する。
【発明の効果】
【００１５】
［請求項１の発明］
請求項１のダーツバレルは、質量が比較的大きな前側のバレル構成体と、質量が比較的小さな後側のバレル構成体とを前後方向に並べて結合してなるので、重心をダーツバレルの前寄り位置に設定することができる。しかも、前側のバレル構成体の材料の比重が、後側のバレル構成体の材料の比重より大きいので、前側と後側のバレル構成体の質量差を大きくすることができ、重心位置を従来より前端寄り位置に大きくずらして偏在させることが可能になる。
【００１６】
［請求項２の発明］
請求項１のダーツバレルは、質量が比較的小さな前側のバレル構成体と、質量が比較的大きな後側のバレル構成体とを前後方向に並べて結合してなるので、重心をダーツバレルの後寄り位置に設定することができる。しかも、後側のバレル構成体の材料の比重が、前側のバレル構成体の材料の比重より大きいので、後側と前側のバレル構成体の質量差を大きくすることができ、重心位置を従来より後端寄り位置に大きくずらして偏在させることが可能になる。
【００１７】
［請求項３の発明］
請求項３のダーツバレルでは、比重が小さいバレル構成体がチタンを主成分とした材料で構成される一方、そのチタンに対して比重が約４倍以上のタングステンを主成分とした材料で比重が大きいバレル構成体が構成されているので、仮に前側と後側のバレル構成体の体積が同じであれば、前側と後側のバレル構成体との間で４倍以上の質量差を設けることができる。しかも、チタンを主成分とした材料とタングステンを主成分とした材料は、表面の光沢は類似しているので、前側と後側のバレル構成体の一体感を高めることができる。
【００１８】
［請求項４の発明］
請求項４の構成によれば、相互に質量が異なる複数の前側のバレル構成体と、相互に質量が異なる複数の後側のバレル構成体とのなかから、前側と後側のバレル構成体を任意に組み合わせて結合可能であるので、ダーツバレル全体の質量及び重心位置に対する多様な要望に応えることができる。
【００１９】
［請求項５の発明］
請求項５の構成によれば、相互に表面形状が異なる複数の前側のバレル構成体と、相互に表面形状が異なる複数の後側のバレル構成体とのなかから、前側のバレル構成体と後側のバレル構成体とが任意に組み合わせて結合可能であるので、ダーツバレル全体の表面形状に対する多様な要望に応えることができる。
【００２０】
［請求項６及び７の発明］
１対のバレル構成体は、接着剤によって結合してもよいし、溶接によって接合してもよい。また、請求項６の構成のように１対のバレル構成体を圧入結合してもよいし、請求項７のように螺合結合してもよい。請求項６のように圧入結合によれば１対のバレル構成体の一体感が増し、請求項７のように螺合結合によれば１対のバレル構成体を容易に分解することができる。
【００２１】
［請求項８の発明］
請求項８の構成によれば、後側のバレル構成体は、筒状の中空構造になっているので中実構造の場合に比べて質量が小さくなり、前側のバレル構成体に対する質量差を大きくすることができる。
【００２２】
［請求項９の発明］
請求項９の構成によれば、１対のバレル構成体の表面は、同一金属でめっきされているので、前側と後側のバレル構成体の一体感を高めることができる。
【００２３】
［請求項１０の発明］
請求項１０の発明に係るダーツは、上記請求項１乃至９の何れかに記載のダーツバレルにより前後方向の中間部分が構成されているので、ダーツ全体の重心位置を従来の重心位置に対して前端寄り位置又は後端寄り位置に偏在させることができる。
【発明を実施するための最良の形態】
【００２４】
［第１実施形態］
以下、本発明の一実施形態を図１〜図４に基づいて説明する。図１には、本実施形態のダーツ１０を、チップ１１（矢先部分）とダーツバレル３０とダーツシャフト２０とに分解した状態が示されている。
【００２５】
チップ１１は樹脂製である。このようなダーツ１０は、一般に「ソフトダーツ」と呼ばれている。チップ１１の軸方向における基端寄り位置と中間部とには、第１と第２のテーパー部１１Ａ，１１Ｂがそれぞれ形成されて、チップ１１が前端に向かって段階的に細くなっている。そして、図３に示すように、チップ１１のうち軸方向の中間部より前端側が極めて緩やかに縮径した丸棒状の突入部１１Ｃをなし、その突入部１１Ｃの前端面は半球状になっている。また、チップ１１の後端部には、チップ１１をダーツバレル３０に螺合結合するための雄螺子突部１２が形成されている。
【００２６】
ダーツシャフト２０は、樹脂製であって、後方に向かうに従って緩やかに縮径した丸棒構造をなし、後端部にフライト部品２３が取り付けられている。そのために、ダーツシャフト２０には、軸方向の中間部より後端部分を４つに縦割り分割するスリット２２が形成されている。また、フライト部品２３は、２枚の樹脂プレートを交差させた構造をなし、４枚の突片状の羽根２３Ａを備えている。そして、図２に示すように、各羽根２３Ａをスリット２２に収めた状態にして、フライト部品２３がダーツシャフト２０に摩擦係止されている。また、ダーツシャフト２０の前端面には、ダーツシャフト２０をダーツバレル３０に螺合結合するための雄螺子突部２１が突出形成されている。
【００２７】
なお、図４に示すように、ダーツシャフト２０の雄螺子突部２１及びチップ１１の雄螺子突部１２は、螺子径及び螺子のピッチが同じになっている。これにより、後述するダーツバレル３０の前後を逆転させてもチップ１１及びダーツシャフト２０をダーツバレル３０に螺合結合することができる。
【００２８】
さて、ダーツバレル３０は、図３に示すように、同軸上に前後に並べて結合された１対のバレル構成体３１，４１からなる。それら１対のバレル構成体３１，４１は、相互に異なる材料で構成され、前側に配置されたバレル構成体３１の質量及び比重が、後側に配置されたバレル構成体４１の質量及び比重より大きくなっている。具体的には、前側のバレル構成体３１として、例えば、タングステンを主成分とした材料で構成されたものと、銀を主成分とした材料で構成されたものと、ニッケルを主成分とした材料で構成されたものとが備えられている。一方、後側のバレル構成体４１として、チタンを主成分とした材料で構成されたものと、アルミを主成分とした材料で構成されたものとが備えられている。また、前側のバレル構成体３１の体積は、後側のバレル構成体４１の体積に対して同じ又は大きくなっている。これらにより、前側のバレル構成体３１の質量が、後側のバレル構成体４１の質量より大きくなっていると共に、前側のバレル構成体３１群の間で質量が相互に異なり、後側のバレル構成体４１群の間で相互に質量が異なっている。そして、このように相互に質量が異なった複数の前側のバレル構成体３１と、相互に質量が異なった複数の後側のバレル構成体４１とのなかから、前側と後側のバレル構成体３１，４１が任意に組み合わせて結合されて、上述したように前側のバレル構成体３１の質量及び比重が、後側のバレル構成体４１の質量及び比重より大きくなっている。
【００２９】
前側のバレル構成体３１の形状は以下のようになっている。即ち、バレル構成体３１は、ダーツバレル３０の軸方向に延びた円柱体の後端部を段付き状に縮径した構造をなし、縮径された後端部が本発明に係る嵌合突部３４になっている。また、バレル構成体３１の前端部は、前記円柱体をテーパー状に縮径した構造になっている。そして、バレル構成体３１の前端部には雌螺子孔３２が形成され、その雌螺子孔３２に、前記したチップ１１の雄螺子突部１２が螺合結合されている（図４参照）。
【００３０】
なお、雌螺子孔３２を形成するための下孔３２Ａは、ダーツバレル３０全体の長手方向における中間位置まで延びている。また、バレル構成体３１における前端部の外側テーパー面にはリング溝３５が形成されている。
【００３１】
後側のバレル構成体４１の形状は以下のようになっている。即ち、図３に示すように、後側のバレル構成体４１は、両端開放の筒状をなしかつ、その前端部内側は圧入孔４４になっており、後端部内側は雌螺子孔４３になっている。そして、圧入孔４４に前記した嵌合突部３４が圧入されて前側と後側のバレル構成体３１，４１が結合されている。また、雌螺子孔４３には、前記したダーツシャフト２０の雄螺子突部２１が螺合されて、後側のバレル構成体４１とダーツシャフト２０とが結合されている。また、後側のバレル構成体４１の外周面には、リング溝４２が軸方向に複数形成されている（図４参照）。各リング溝４２は、断面角溝状になっている。
【００３２】
なお、前側のバレル構成体３１における雌螺子孔３２と後側のバレル構成体４１における雌螺子孔４３とは、螺子径及びピッチが同一になっている。また、上記した両バレル構成体３１，４１を合わせたダーツバレル３０全体の質量及び比重は、チップ１１及びダーツシャフト２０の各質量及び比重より大きくなっている。
【００３３】
本実施形態のダーツバレル３０及びダーツ１０に関する説明は以上である。次ぎに、ダーツバレル３０及びダーツ１０の作用効果について説明する。ダーツ１０に対応した図示しないダーツ的（ダーツボード）は、樹脂板に複数の突入孔を網目状に穿孔した構造になっている。ダーツ１０を投げる際には、一般にダーツバレル３０を主たる把持部としてダーツ１０を把持する。このとき、ダーツバレル３０のリング溝４２における溝開口縁のエッジ部分に指が掛かって滑り止めされる。そして、ダーツ１０がダーツ的に向けて投げられると、チップ１１の突入部１１Ｃがダーツ的（ダーツボード）の突入孔内に突入してダーツ１０がダーツ的に突き刺さった状態になる。
【００３４】
ここで、ダーツゲームはダーツ１０のコントロールを競うものである。そして、そのコントロールは、投げ方及び好みに合ったダーツ１０を使用しているか否かによって変わる。
【００３５】
これに対し、本実施形態のダーツバレル３０は、質量が比較的大きな前側のバレル構成体３１と、質量が比較的小さな後側のバレル構成体４１とを前後方向に並べて結合してなるので、重心をダーツバレル３０の前寄り位置に設定することができる。しかも、前側のバレル構成体３１の材料の比重が、後側のバレル構成体４１の材料の比重より大きいので、前側と後側のバレル構成体３１，４１の質量差を大きくすることができる。また、本実施形態では、後側のバレル構成体４１が中空構造になっているので中実構造の場合に比べて体積と共に質量が小さくなり、前側のバレル構成体３１と後側のバレル構成体４１との質量差をより一層大きくすることができる。これらにより、ダーツバレル３０の重心位置を前端寄り位置に従来より大きくずらして偏在させることが可能になる。従って、このダーツバレル３０を備えた本実施形態のダーツ１０全体の重心位置も従来の重心位置に対して前端寄り位置に偏在させることができ、そのような重心位置を好むダーツ競技者のニーズに応えることができる。
【００３６】
その上、本実施形態では、相互に質量が異なる複数の前側のバレル構成体３１と、相互に質量が異なる複数の後側のバレル構成体４１とのなかから、前側と後側のバレル構成体３１，４１を任意に組み合わせて結合することで、ダーツバレル３０全体の質量及び重心位置に対する多様な要望に応えることができる。特に、前側のバレル構成体３１をタングステン、後側のバレル構成体４１をチタンとした組み合わせでは、タングステンの比重はチタンの約４倍であるから、前側と後側のバレル構成体３１，４１の間で約４倍以上の質量差を設けることができる。しかも、タングステンを主成分とした材料とチタンを主成分とした材料とは、表面の光沢は類似しているので、前側と後側のバレル構成体３１，４１の一体感を高めることができる。
【００３７】
［第２実施形態］
本実施形態のダーツ１０Ｗ及びダーツバレル３０Ｗは、図５に示されており、前側と後側のバレル構成体３１Ｗ，４１Ｗの連結構造が第１実施形態と異なる。即ち、本実施形態の後側のバレル構成体４１Ｗの前端部は前端壁４５によって閉塞されている。そして、そのバレル構成体４１Ｗの前端面の中心には、芯出し突起４１Ｐが突出形成されている。一方、前側のバレル構成体３１Ｗの後端部からは、前記第１実施形態の嵌合突部３４が切除され、平坦面の中心に芯出し孔３１Ｐが陥没形成されている。そして、これら芯出し突起４１Ｐと芯出し孔３１Ｐとを凹凸係合して前側と後側のバレル構成体３１Ｗ，４１Ｗを芯出しした状態で、それらが例えば接着剤にて結合されている。その他の構成に関しては、第１実施形態と同じであるため重複した説明は省略する。
【００３８】
［第３実施形態］
本実施形態のダーツ１０Ｘ及びダーツバレル３０Ｘは、図６に示されており、前側と後側のバレル構成体３１Ｘ，４１Ｘの連結構造とチップ５０の構成とが第１及び第２の実施形態と異なる。即ち、本実施形態のダーツ１０Ｘは、所謂、ハードダーツであって、チップ５０は、先端が尖った金属製のニードル構造になっている。前側のバレル構成体３１Ｘの前端部には、チップ圧入孔３７が穿孔され、ここにチップ５０が圧入されている。また、前側のバレル構成体３１Ｘの後端部には、雌螺子孔３９が形成されている。後側のバレル構成体４１Ｘの前端部は前端壁４５によって閉塞され、そのバレル構成体４１Ｘの前端面の中心には、雄螺子突部４７が設けられている。そして、雄螺子突部４７が雌螺子孔３９に螺合されて前側と後側のバレル構成体３１Ｘ，４１Ｘが結合されている。その他の構成に関しては、第１実施形態と同じであるため重複した説明は省略する。
【００３９】
本実施形態の構成によれば、１対のバレル構成体３１Ｘ，４１Ｘを容易に分解することができる。よって、前側又は後側の少なくとも何れかのバレル構成体３１Ｘ，４１Ｘを複数種類用意しておけば、容易に１対のバレル構成体３１Ｘ，４１Ｘの組み合わせを変更することができ、重心位置を所望の位置に設定することができる。
【００４０】
なお、チップ５０を、前記第１実施形態のチップ１１と同様に、バレル構成体３１Ｘに螺合結合するように構成してもよい。
【００４１】
［第４実施形態］
本実施形態のダーツ１０Ｙ及びダーツバレル３０Ｙは、図７に示されており、前側のバレル構成体３１Ｙより後側のバレル構成体４１Ｙの質量及び比重の方が大きい点が第１実施形態と異なる。即ち、本実施形態のバレル構成体３１Ｙは、両端開放の筒状をなし、その前端部内側にチップ１１を螺合結合するための雌螺子孔３２が形成され、後端部内側が圧入孔３８なっている。一方、バレル構成体４１Ｙは、後端部の雌螺子孔４３より前側が中実構造をなし、前端部には嵌合突部４８が形成されている。そして、嵌合突部４８が圧入孔３８に圧入されて、前側と後側のバレル構成体３１Ｙ，４１Ｙが結合される。また、前側のバレル構成体３１Ｙは、チタン等の比較的比重が小さい材料で構成され、後側のバレル構成体４１Ｙは、タングステン、ニッケル等の比較的比重が大きい材料で構成されている。その他の構成に関しては、第１実施形態と同じであるため重複した説明は省略する。
【００４２】
本実施形態のダーツバレル３０Ｙは、質量が比較的小さな前側のバレル構成体３１Ｙと、質量が比較的大きな後側のバレル構成体４１Ｙとを前後方向に並べて結合してなるので、重心をダーツバレル３０Ｙの後寄り位置に設定することができる。しかも、後側のバレル構成体４１Ｙの材料の比重が、前側のバレル構成体３１Ｙの材料の比重より大きいので、前側と後側のバレル構成体３１，４１の質量差を大きくすることができ、重心位置を後端寄り位置に従来より大きくずらして偏在させることが可能になる。従って、このダーツバレル３０Ｙを備えた本実施形態のダーツ１０Ｙ全体の重心位置も従来の重心位置に対して後端寄り位置に偏在させることができ、そのような重心位置を好むダーツ競技者のニーズに応えることができる。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）前記各実施形態の前側のバレル構成体３１，３１Ｗ，・・・を構成する材料の主成分及び、後側のバレル構成体４１，４１Ｗ，・・・を構成する材料の主成分は、上記実施形態で例示したものに限定されるものではなく、前側のバレル構成体３１，３１Ｗ，・・・と、後側のバレル構成体４１，４１Ｗ，・・・との比重が異なれば、例えば銅とチタン、ニッケルとアルミ、金と鉄、プラチナと金など、どのような材料を組み合わせてもよい。また、金属に限定されるものではなく、セラミックスや合成樹脂などの複合材料を組み合わせてもよい。
【００４５】
（２）前記第１実施形態では、羽根２３Ａが、ダーツシャフト２０と別部品であるフライト部品２３によって構成されていたが、羽根をダーツシャフトに一体成形してもよい。
【００４６】
（３）前記各実施形態において、前側のバレル構成体３１，３１Ｗ，・・・と、後側のバレル構成体４１，４１Ｗ，・・・とを同一金属でめっきしてもよい。そうすることで、前側と後側のバレル構成体の一体感を高めることができる。
【００４７】
（４）前記第１実施形態において、複数の前側のバレル構成体３１の表面形状を相互に異なる構成としかつ、複数の後側のバレル構成体４１の表面形状も相互に異なる構成としもよい。そうすれば、前側のバレル構成体３１と後側のバレル構成体４１とが任意に組み合わされて結合することで、ダーツバレル３０全体の表面形状に対する多様な要望に応えることができる。
【００４８】
（５）前記各実施形態では、前側のバレル構成体３１，３１Ｗ，・・とチップ１１，５０とは別部品であったが、前側のバレル構成体にチップが一体形成されていてもよい。
【００４９】
（６）前記各実施形態の螺合結合部は、雌雄逆転してもよい。
【図面の簡単な説明】
【００５０】
【図１】本発明の第１実施形態に係るダーツの分解斜視図
【図２】ダーツの全体図
【図３】ダーツを分解した状態の側断面図
【図４】ダーツの側断面図
【図５】第２実施形態のダーツを分解した状態の側断面図
【図６】第３実施形態のダーツを分解した状態の側断面図
【図７】第４実施形態のダーツを分解した状態の側断面図
【符号の説明】
【００５１】
１０，１０Ｗ，１０Ｘ，１０Ｙ    ダーツ
１１，５０    チップ
１２，２１，４７    雄螺子突部
２０    ダーツシャフト
２３Ａ    羽根
３０，３０Ｗ，３０Ｘ，３０Ｙ  ダーツバレル
３１，３１Ｗ，３１Ｘ，３１Ｙ    バレル構成体
３２，３９，４３    雌螺子孔
３４，４８    嵌合突部
３８，４４    圧入孔
４１，４１Ｗ，４１Ｘ，４１Ｙ    バレル構成体
【図１】
2010004901.tif 000003
【図２】
2010004901.tif 000004
【図３】
2010004901.tif 000005
【図４】
2010004901.tif 000006
【図５】
2010004901.tif 000007
【図６】
2010004901.tif 000008
【図７】
2010004901.tif 000009